(57)【要約】      （修正有）【課題】  本体内から出し入れされるケースが奥側端縁まで完全に本体内から引き出されるようにしたスライドレールを提供する。【解決手段】  対向して配置される長尺な板状の固定レール１０および可動レール２０と、該両レール１０，２０間にスライド自在に挟まれるインナーメンバ３０と、両レール１０，２０がインナーメンバ３０上をスライドするようにするためのローラ４０とを備えている。両レール１０，２０は、外側フランジ部１２，２２が内向きに設けられ、該外側フランジ部１２，２２の内面に外側突条１３，２３が形成されている。インナーメンバ３０は、外側フランジ部１２，２２と対向する内側フランジ部３２が設けられ、該内側フランジ部３２に外側フランジ部１２，２２と対向する内側突条３５が形成されている。ローラ４０は、外側フランジ部１２，２２と内側フランジ部３２との間に配置され、各外側突条１３，２３と内側突条３５とを余裕をもって係入する溝４１が形成されている。【選択図】  図１
2006192180.tif 000002
【特許請求の範囲】
【請求項１】
間隔が変えられるように対向して配置される長尺な板状の固定レールおよび可動レールと、該両レール間にスライド自在に挟まれるインナーメンバと、前記両レールが前記インナーメンバ上を相対的にスライドするようにするためのローラとを備えているスライドレールであって、
前記固定レールおよび可動レールは、ウェブ部の両側縁に外側フランジ部が内向きに設けられ、該外側フランジ部の内面に外側突条が形成されており、
前記インナーメンバは、前記外側フランジ部と対向する内側フランジ部が設けられ、該内側フランジ部に前記外側フランジ部と対向する内側突条が形成されており、
前記ローラは、前記外側フランジ部と内側フランジ部との間に配置され、かつ、前記各外側突条と内側突条とを余裕をもって係入する溝が形成されていることを特徴とするスライドレール。
【請求項２】
前記ローラは、固定レールの先端側、可動レールの基端側、インナーメンバの基端側で、かつ、固定レールと対向する面、インナーメンバの先端側で、かつ、可動レールと対向する面に回転自在に取り付けられていることを特徴とする請求項１に記載のスライドレール。
【請求項３】
固定レールの先端側とインナーメンバの先端側に取り付けられるローラが、前記可動レールの基端側とインナーメンバの基端側に取り付けられるローラよりも多くの対で構成されていることを特徴とする請求項２に記載のスライドレール。
【請求項４】
前記固定レールの基端部と前記可動レールの先端部とに、前記インナーメンバの基端部と先端部とに接離する突起がそれぞれ設けられ、
前記固定レールの先端側および可動レールの基端側とインナーメンバの中間部とに接離する突起がそれぞれ設けられていることを特徴とする請求項１から３のいずれか一つに記載のスライドレール。
【請求項５】
間隔を開けて対向して配置される長尺な板状の固定レールおよび可動レールと、該両レール間にスライド自在に挟まれるインナーメンバと、前記両レールが前記インナーメンバ上を相対的にスライドするようにするためのボールリテーナとを備えているスライドレールであって、
前記固定レールおよび可動レールは、ウェブ部の両側縁に外側フランジ部が内向きに設けられ、該外側フランジ部の内面に外側凹条が形成されており、
前記インナーメンバは、前記外側フランジ部と対向する内側フランジ部が設けられ、該内側フランジ部に前記外側凹条と対向する内側凹条が形成されており、
前記ボールリテーナは、前記外側フランジ部と内側フランジ部との間に配置され、かつ、前記外側凹条と内側凹条とに係入するボールを備えていることを特徴とするスライドレール。
【請求項６】
前記固定レールの基端部と前記可動レールの先端部とに、前記インナーメンバの基端部と先端部とに接離する突起がそれぞれ設けられ、
前記固定レールの先端縁と前記可動レールの基端縁とに前記ボールリテーナの先端縁と後端縁とに接離する突起が設けられ、前記インナーメンバの基端縁と先端縁とにそれぞれ前記ボールリテーナの後端縁と先端縁とに接離する突起が設けられていることを特徴とする請求項５に記載のスライドレール。
【発明の詳細な説明】
【技術分野】
【０００１】
本発明は、前面側を開口した箱型の本体内からケースをスムーズに出し入れするためのスライドレールに関し、詳しくは、本体の内面に取り付けられる固定レールと、ケースの側面に取り付けられる可動レールと、固定レールと可動レールとの間にスライド自在に挟まれるインナーメンバとを備えているスライドレールに関する。
【背景技術】
【０００２】
スライドレールは、引出し式の冷凍室や野菜室などを有する冷蔵庫などに備えられている。この冷蔵庫は、図９に示すように野菜室などを構成しているケース１が一対のスライドレール３によって前面側を開口した箱型の本体２内からスムーズに出し入れできるようにされている。スライドレール３は、本体２の内壁２ａに取り付けられた固定レール３ａや、ケース１の側板１ａに取り付けられた可動レール３ｂなどを備えている。そして、ケース１は、可動レール３ｂが固定レール３ａ上をスライドすることにより、本体２内からスムーズに出し入れされる。
【０００３】
なお、収納容器（ケース）内にたくさんの食品が収納されても、スムーズに収納容器を引き出すことができるようにした冷蔵庫が特許文献１に開示されている。この冷蔵庫は、収納容器の両側板に第１のレール（可動レール）が水平方向に設けられ、この両側板の奥端部に第１のローラが設けられるとともに、本体内に前記第１のローラを案内する断面コ字形の第２のレール（固定レール）が設けられ、この本体内の前面付近に前記第１のレールを案内する第２のローラが設けられている。
【０００４】
【特許文献１】特開２００３−２２７６７９号公報
【発明の開示】
【発明が解決しようとする課題】
【０００５】
冷蔵庫の本体２がＡＢＳ樹脂で成型されると、金型の離形勾配が各内壁２ａに１°程度必要である。したがって、本体２の各内壁２ａの間隔は開口側が奥側よりもわずかに広くなり、本体２の各内壁２ａは極端にいえばハ字形に向き合っている。さらに、ケース１の各側板１ａも極端にいえばハ字形に向き合っている。
【０００６】
このようなケース１が一対のスライドレール３によって本体２内から引き出されるにつれて、可動レール３ｂは固定レール３ａから離隔する。したがって、本体２の内壁２ａおよびケース１の側板１ａが１°ずつの開きを有しているときは、図９に示すように、ケース１を最大限引き出しても、ケース１の奥行きの25％程度が本体２内に残ってしまい、ケース１を本体２内から完全に引き出すことができない。
【０００７】
また、本体２の内壁２ａとケース１の側板１ａとが平行に配置され、これらに取り付けられる一対のスライドレール３も平行に配置されるとしても、従来のスライドレール３は、可動レール３ｂが固定レール３ａ上をスライドするため、可動レール３ｂと固定レール３ａとが重なり合っている部分が必要である。したがって、ケース１は、本体２内から最大限引き出されても、可動レール３ｂと固定レール３ａとが重なり合う長さ分だけケース１の奥側が本体２内に残され、完全に引き出すことができない。
【０００８】
しかし、このようにケース１が本体２内から完全に引き出されないと、ケース１の奥側に収納された食品を取り出しにくく、使い勝手が悪いものとなっている。
【０００９】
そこで、本発明は、本体内から出し入れされるケースが奥側端縁まで完全に本体内から引き出されるようにしたスライドレールを提供することを課題とする。
【課題を解決するための手段】
【００１０】
本発明に係るスライドレールは、間隔が変えられるように対向して配置される長尺な板状の固定レールおよび可動レールと、該両レール間にスライド自在に挟まれるインナーメンバと、前記両レールが前記インナーメンバ上を相対的にスライドするようにするためのローラとを備えているスライドレールであって、前記固定レールおよび可動レールは、ウェブ部の両側縁に外側フランジ部が内向きに設けられ、該外側フランジ部の内面に外側突条が形成されており、前記インナーメンバは、前記外側フランジ部と対向する内側フランジ部が設けられ、該内側フランジ部に前記外側フランジ部と対向する内側突条が形成されており、前記ローラは、前記外側フランジ部と内側フランジ部との間に配置され、かつ、前記各外側突条と内側突条とを余裕をもって係入する溝が形成されていることを特徴としている。
【００１１】
このスライドレールによれば、固定レールおよび可動レールの外側フランジ部とインナーメンバの内側フランジ部は、ローラを挟んで上下に対向するように配置される。このローラが回転することにより、インナーメンバが固定レールからスムーズに出し入れされ、そして、可動レールがインナーメンバからスムーズに出し入れされる。
【００１２】
また、ローラに形成された溝には、固定レールおよび可動レールに形成された外側突条およびインナーメンバに形成された内側突条が余裕をもって係入し、そして、ローラが幅方向に移動可能とされることにより、固定レール、インナーメンバそして可動レールは、幅方向にも移動する。固定レールおよび可動レールの外側突条がインナーメンバの内側突条よりも内寄りで対向している状態において、固定レール、インナーメンバおよび可動レールは近接する。そして、固定レールおよび可動レールの外側突条がインナーメンバの内側突条よりも外よりで対向している状態において、固定レール、インナーメンバおよび可動レールは離隔する。
【００１３】
このように、固定レール、インナーメンバおよび可動レールが幅方向に移動することにより、一対のスライドレールの先端側が基端側よりも広く配置されていても、一対の可動レールは、間隔が一定に維持されながら固定レールから出し入れされる。
【００１４】
また、前記本発明に係るスライドレールにおいて、前記ローラは、固定レールの先端側、可動レールの基端側、インナーメンバの基端側で、かつ、固定レールと対向する面、インナーメンバの先端側で、かつ、可動レールと対向する面に回転自在に取り付けられていることが好ましい。
【００１５】
このスライドレールによれば、固定レールから引き出されたインナーメンバおよび可動レールは部分的に重なり合うが、この重なり合っている部分の両端部がローラに支承される。すなわち、固定レールの先端側に取り付けられたローラと、インナーメンバの基端側で、かつ、固定レールと対向する面に取り付けられたローラによって、固定レールとインナーメンバとが重なり合っている部分の両端部が支承される。また、可動レールの基端側に取り付けられたローラと、インナーメンバの先端側で、かつ、可動レールと対向する面に取り付けられたローラによって、可動レールとインナーメンバとが重なり合っている部分の両端部が支承される。このように、両レールおよびインナーメンバが重なり合っている部分の両端部を支承するローラにより、インナーメンバおよび可動レールは、安定した状態で、しかもスムーズに固定レールから出し入れされる。
【００１６】
また、前記本発明に係るスライドレールにおいて、固定レールの先端側とインナーメンバの先端側に取り付けられるローラが、前記可動レールの基端側とインナーメンバの基端側に取り付けられるローラよりも多くの対で構成されていることが好ましい。
【００１７】
このスライドレールによれば、インナーメンバと可動レールが固定レールから出し入れされるときに、固定レールとインナーメンバの先端側に固定レールとインナーメンバの中間部よりも大きな荷重が加えられても、ローラが基端側よりも先端側の方が多い対で構成されることにより、ローラに加えられる荷重が分散され、ローラが破損しにくいようにすることができるとともに、インナーメンバと可動レールをスムーズに出し入れすることができる。
【００１８】
また、前記本発明に係るスライドレールにおいて、前記固定レールの基端部と前記可動レールの先端部とに、前記インナーメンバの基端部と先端部とに接離する突起がそれぞれ設けられ、前記固定レールの先端側および可動レールの基端側とインナーメンバの中間部とに接離する突起がそれぞれ設けられていることが好ましい。
【００１９】
このスライドレールによれば、各突起がストッパとして作用する。すなわち、インナーメンバと可動レールは、固定レールの先端側および可動レールの基端側に設けられた突起と、インナーメンバの中間部に設けられた突起とが当接するまで引き出すことができ、逆に、可動レールの先端部に設けられた突起がインナーメンバの先端部を押圧することにより、インナーメンバが固定レールと重なり合うように押し込まれ、そして、インナーメンバの基端部が固定レールの基端部に設けられた突起に当接するまでインナーメンバが押し込まれる。
【００２０】
また、前記と異なる本発明に係るスライドレールは、間隔を開けて対向して配置される長尺な板状の固定レールおよび可動レールと、該両レール間にスライド自在に挟まれるインナーメンバと、前記両レールが前記インナーメンバ上を相対的にスライドするようにするためのボールリテーナとを備えているスライドレールであって、前記固定レールおよび可動レールは、ウェブ部の両側縁に外側フランジ部が内向きに設けられ、該外側フランジ部の内面に外側凹条が形成されており、前記インナーメンバは、前記外側フランジ部と対向する内側フランジ部が設けられ、該内側フランジ部に前記外側凹条と対向する内側凹条が形成されており、前記ボールリテーナは、前記外側フランジ部と内側フランジ部との間に配置され、かつ、前記外側凹条と内側凹条とに係入するボールを備えていることを特徴としている。
【００２１】
このスライドレールによれば、固定レールおよび可動レールの外側フランジ部とインナーメンバの内側フランジ部は、ボールリテーナに備えられたボールを挟んで上下に対向するように配置される。このボールが外側凹条と内側凹条に挟まれた状態で回転することにより、インナーメンバが固定レールからスムーズに出し入れされ、可動レールがインナーメンバからスムーズに出し入れされる。そして、インナーメンバによって、可動レールは固定レールと全く重ならなくなるまで引き出される。
【００２２】
また、前記本発明に係るスライドレールにおいて、前記固定レールの基端部と前記可動レールの先端部とに前記インナーメンバの基端部と先端部とに接離する突起がそれぞれ設けられ、前記固定レールの先端縁と前記可動レールの基端縁とに前記ボールリテーナの先端縁と後端縁とに接離する突起が設けられ、前記インナーメンバの基端縁と先端縁とにそれぞれ前記ボールリテーナの後端縁と先端縁とに接離する突起が設けられていることが好ましい。
【００２３】
このスライドレールによれば、各突起はストッパとして作用する。すなわち、各ボールリテーナは、各突起の間で相対的に移動する。そして、固定レールの先端縁に設けられた突起と、インナーメンバの基端縁に設けられた突起とがボールリテーナを挟むと、これ以上インナーメンバが固定レールから引き出されず、また、インナーメンバの先端縁に設けられた突起と、可動レールの基端縁に設けられた突起とがボールリテーナを挟むと、これ以上可動レールがインナーメンバから引き出されない。逆に、可動レールの先端部に設けられた突起がインナーメンバの先端部を押圧することにより、インナーメンバが固定レールと重なり合うように押し込まれる。そして、インナーメンバの基端部が固定レールの基端部に設けられた突起に当接すると、固定レールとインナーメンバと可動レールとが完全に重なり合った状態となる。
【発明の効果】
【００２４】
本発明によれば、間隔が変えられるように対向して配置される長尺な板状の固定レールおよび可動レールに設けられた各外側フランジ部に外側突条が形成され、そして、この両レール間にスライド自在に挟まれるインナーメンバに設けられた内側フランジ部に内側突条が形成され、そして、外側突条と内側突条とを余裕をもって係入する溝を形成したローラが前記外側フランジ部と内側フランジ部との間に配置されることにより、インナーメンバおよび可動レールが固定レールからスムーズに出し入れされるだけでなく、インナーメンバおよび可動レールが固定レールから幅方向にも接離する。したがって、一対のスライドレールが奥側を狭く、手前側を広くして配置されても、一対の可動レールは間隔を一定に維持しながら引き出される。
【００２５】
また、前記と別の本発明によれば、間隔を開けて対向して配置される長尺な板状の固定レールおよび可動レールに設けられた各外側フランジ部に外側凹条が形成され、そして、この両レール間にスライド自在に挟まれるインナーメンバに設けられた内側フランジ部に内側凹条が形成され、そして、外側凹条と内側凹条とに係入するボールを保持したボールリテーナが前記外側フランジ部と内側フランジ部との間に配置されることにより、インナーメンバおよび可動レールが固定レールからスムーズに出し入れされる。また、インナーメンバが固定レールと可動レールとをスライド自在に連結することにより、可動レールは固定レールと重なり合わない状態となるまで引き出される。
【００２６】
したがって、いずれの本発明に係るスライドレールも、箱型の本体内からケースを完全に引き出すことができ、ケースの奥側に収納された被収納物を容易に取り出せるようになり、利便性を向上させることができる。
【発明を実施するための最良の形態】
【００２７】
〔本発明の第１の実施形態〕
【００２８】
本発明に係るスライドレールの第１の実施形態について図１から図５を参照しながら説明する。このスライドレールは、例えば、冷蔵庫に備えられた野菜室などのケース１を箱型の本体２内からスムーズに出し入れするためのもので、一対または二対以上の対で使用される。
【００２９】
各スライドレールは、間隔が変えられるように対向して配置される長尺な板状の固定レール１０および可動レール２０と、この両レール１０，２０間にスライド自在に挟まれるインナーメンバ３０と、前記固定レール１０および可動レール２０がインナーメンバ３０上を相対的にスライドするようにするためのローラ４０とを備えている。
【００３０】
前記固定レール１０は、開口側が奥側よりもわずかに広い本体２の内壁２ａに水平方向に取り付けられ、可動レール２０は、手前側が奥側よりもわずかに広いケース１の側板１ａに水平方向に取り付けられ、可動レール２０が固定レール１０に沿ってスライドするようにようにされている。また、固定レール１０および可動レール２０は、同じ長さであり、帯板状のウェブ部１１，２１の両側縁に外側フランジ部１２，２２が内向きに設けられ、この外側フランジ部１２，２２の内面に外側突条１３，２３が形成されている。このような固定レール１０および可動レール２０は、各外側フランジ部１２，２２が間隔を開けて突き合わされるように対向し、外側フランジ部１２，２２および両ウェブ部１１，２１よって囲まれた領域に空間部が設けられている。
【００３１】
そして、この空間部内に前記インナーメンバ３０が配置されている。インナーメンバ３０は、固定レール１０および可動レール２０よりもわずかに短く、帯板状部３１の両面に二対の内側フランジ部３２が突設されている。帯板状部３１の上端部３３と下端部３４は、前記両レール１０，２０の外側フランジ部１２，２２の間に隙間を開けて挟まれる。また、各内側フランジ部３２には、前記外側フランジ部１２，２２と対向する内側突条３５が形成されている。外側突条１３，２３も内側突条３５も断面が円弧形状とされている。
【００３２】
そして、固定レール１０、可動レール２０およびインナーメンバ３０は、相対的に幅方向にも近接・離隔することができるようにされており、両レール１０，２０とインナーメンバ３０とが近接した状態において、外側突条１３，２３が内側突条３５よりも内側（インナーメンバ３０寄り）に位置し、両レール１０，２０とインナーメンバ３０とが離隔した状態において、外側突条１３，２３が内側突条３５よりも外側に位置するように、外側突条１３，２３と内側突条３５が外側フランジ部１２，２２と内側フランジ部３２に形成されている。
【００３３】
そして、外側フランジ部１２，２２と内側フランジ部３２との間には、ローラ４０が配置される。このローラ４０は、両レール１０，２０およびインナーメンバ３０に軸５によって回転自在、かつ、軸５の長さ方向に移動することができるように取り付けられている。また、ローラ４０には、前記外側突条１３，２３と内側突条３５とが余裕をもって係入する断面円弧状の溝４１が形成されている。すなわち、この溝４１の幅は、外側突条１３，２３および内側突条３５の幅よりも広く、外側突条１３，２３および内側突条３５が溝４１内で幅方向にも移動することができるようにされている。
【００３４】
このようなローラ４０は、図４（ａ）に示すように固定レール１０の先端部で、かつ、インナーメンバ３０と対向する面に上下二対で４個回転自在に取り付けられ、そして、インナーメンバ３０の基端部で、かつ、固定レール１０と対向する面に上下一対で２個回転自在に取り付けられ、インナーメンバ３０の先端部で、かつ、可動レール２０と対向する面に上下二対で４個回転自在に取り付けられ、そして、可動レール２０の基端部で、かつ、インナーメンバ３０に対向する面に上下一対で２個回転自在に取り付けられる。
【００３５】
ただし、ローラ４０は、２個と４個の組合せに限定するものではなく、３個と６個の組合せ、２個と６個の組合せなど任意に設定することができる。いずれにしても、固定レール１０からインナーメンバ３０と可動レール２０が引き出されたときに、基端側よりも先端側の方が大きな荷重が加えられるため、ローラ４０の数を基端側よりも先端側の方を多くすることにより、両ローラ４０加えられる荷重を分散させ、ローラ４０が破損しにくいようにするとともに、インナーメンバ３０と可動レール２０とを固定レール１０からスムーズに出し入れすることができるようにされている。
【００３６】
そして、固定レール１０の基端部と可動レール２０の先端部とには、インナーメンバ３０の基端部と先端部とに接離する突起１４，２４が設けられている。この突起１４，２４は、例えば、インナーメンバ３０の内側フランジ部３２の端縁に接離するように、両レール１０，２０のウェブ部１１，２１に突設されている。インナーメンバ３０が両レール１０，２０よりも短くされていることにより、両レール１０，２０とインナーメンバ３０とが完全に重なり合っている状態において、固定レール１０の先端部が可動レール２０の先端部の突起２４を覆い、可動レール２０の基端部が固定レール１０の基端部の突起１４を覆う。
【００３７】
また、前記固定レール１０の先端側および可動レール２０の基端側とインナーメンバ３０の中間部とには、接離する突起１５，２５，３６がそれぞれ設けられている。インナーメンバ３０の突起３６が固定レール１０の突起１５に当接するまで、インナーメンバ３０は固定レール１０から引き出される。そして、可動レール２０の突起２５がインナーメンバ３０の突起２５に当接するまで、可動レール２０はインナーメンバ３０から引き出される。
【００３８】
また、図４（ａ）に示すように、両レール１０，２０には、取付け穴１７，２７が３か所に形成され、インナーメンバ３０には連通穴３７が２か所に形成されている。そして、図４（ｂ）に示すように、インナーメンバ３０が固定レール１０から完全に引き出された状態で、インナーメンバ３０の基端側に形成された連通穴３７と固定レール１０の先端側に形成された取付け穴１７とが連通し、図１に示すように、３か所の取付け穴１７にボルト６を挿通することによって固定レール１０が本体２の内壁２ａに取り付けられる。また、可動レール２０がインナーメンバ３０から完全に引き出された状態で、インナーメンバ３０の先端側に形成された連通穴３７と可動レール２０の基端側に形成された取付け穴２７とが連通し、３か所の取付け穴２７にボルト６を挿通することによって可動レール２０がケース１の側板１ａに取り付けられる。
【００３９】
このケース１の一対の側板１ａおよび本体２の内壁２ａの間隔が奥側よりも手前側の方がわずかに広く形成されていると、一対のスライドレールは平行でなく、先端側（手前側）の間隔が基端側（奥側）の間隔よりもわずかに広く対向する。
【００４０】
そして、ケース１が図２に示すように本体２内に収納されている状態においては、両レール１０，２０とインナーメンバ３０とは重なり合って、図１に示すように幅方向に近接している。このとき、両レール１０，２０の外側突条１３，２３は、インナーメンバ３０の内側突条３５よりも内側に位置している。
【００４１】
そして、ケース１が本体２内から引き出されると、図４に示すようにインナーメンバ３０が固定レール１０から突出し、可動レール２０がインナーメンバ３０から突出する。一対のスライドレールは、先端側でわずかに拡開しているため、一対のインナーメンバ３０と可動レール２０は、引き出されるにつれて、間隔が拡がる。すなわち、図３に示すように、インナーメンバ３０が固定レール１０から離隔し、可動レール２０がインナーメンバ３０から離隔する。
【００４２】
インナーメンバ３０と可動レール２０は、内側突条３５と外側突条１３，２３がローラ４０の溝４１内を幅方向に移動し、さらにローラ４０も幅方向（軸５の長さ方向）に移動することにより、固定レール１０から離隔する。すなわち、外側突条１３，２３と内側突条３５がローラ４０の溝４１内で移動することができる距離分だけ、インナーメンバ３０と可動レール２０が固定レール１０から離隔することができる。したがって、一対の可動レール２０の間隔が先端側で基端側よりもわずかに広くなっていても、ケース１を取り付けた間隔を維持して引き出される。
【００４３】
このようにして、ケース１は図５に示すように、奥側が本体２内に残されることなく、本体２内から完全に引き出される。このとき、両レール１０，２０とインナーメンバ３０の中間部に設けられた突起１５，２５，３６が図４（ｂ）に示すように、それぞれ当接することにより、インナーメンバ３０と可動レール２０はこれ以上、移動せず、固定レール１０とインナーメンバ３０から抜け落ちないようにされている。したがって、ケース１は、本体２内から完全に引き出された状態を維持する。
【００４４】
逆に、ケース１を本体２内に収納するときは、前記と逆に、引き出された可動レール２０とインナーメンバ３０とが重なり合うように押し込まれながら、可動レール２０とインナーメンバ３０とが図１に示すように固定レール１０の方へ近接する。このとき、可動レール２０の先端部に設けられた突起２４がインナーメンバ３０の先端縁を押圧し、インナーメンバ３０が押し下げられ、インナーメンバ３０の基端縁が固定レール１０の基端部に設けられた突起１４に当接すると、可動レール２０とインナーメンバ３０が停止し、ケース１が本体２内に完全に収納される。
【００４５】
〔本発明の第２の実施形態〕
【００４６】
本発明に係るスライドレールの第２の実施形態について図６ないし図８を主として参照しながら説明する。このスライドレールは、例えば、冷蔵庫に備えられたケース１を箱型の本体２内からスムーズに出し入れするためのもので、一対または二対以上の対で使用される。
【００４７】
そして、このスライドレールは、間隔をあけて対向して配置される長尺な板状の固定レール５０および可動レール６０と、この両レール５０，６０間に挟まれるインナーメンバ７０と、前記固定レール５０および可動レール６０がインナーメンバ７０上をスムーズにスライドするようにするボールリテーナ８０とを備えている。
【００４８】
前記固定レール５０は、平行に対向している本体２の内壁２ａに水平方向に取り付けられ、可動レール６０は、平行に対向しているケース１の側板１ａに水平方向に取り付けられ、可動レール６０が固定レール５０に沿ってスライドするようにされている。また、固定レール５０および可動レール６０は、同じ長さであり、帯板状のウェブ部５１，６１の両端縁に外側フランジ部５２，６２が内向きに設けられ、この外側フランジ部５２，６２の内面に外側凹条５３，６３が形成されている。このような固定レール５０および可動レール６０は、各外側フランジ部５２，６２が間隔を開けて突き合わされるように対向し、両外側フランジ部５２，６２間およびウェブ部５１，６１によって囲まれた領域に空間部が設けられている。
【００４９】
そして、この空間部内に前記インナーメンバ７０が配置されている。インナーメンバ７０は、固定レール５０および可動レール６０よりもわずかに短く、帯板状部７１の両面に二対の内側フランジ部７２が突設されている。帯板状部７１の上端部７３と下端部７４は、前記両レール５０，６０の外側フランジ部５２，６２の間に隙間を開けて挟まれる。また、各内側フランジ部７２には、前記外側凹条５３，６３と対向する内側凹条７５が形成されている。外側凹条５３，６３も内側凹条７５も樋形状に形成されている。
【００５０】
そして、この外側凹条５３，６３と内側凹条７５に係入する複数のボール８１を保持したボールリテーナ８０が固定レール５０とインナーメンバ７０との間の空間部内と可動レール６０とインナーメンバ７０との間の空間部内で移動自在に配置されている。ボールリテーナ８０は、弓字形に折り曲げられた基板８２の両側縁に複数の小孔が形成され、この各小孔にボール８１を回転自在に保持したものである。
【００５１】
そして、図８に示すように固定レール５０の基端部と可動レール６０の先端部とには、インナーメンバ７０の基端部と先端部とに接離する突起５４，６４が設けられている。この突起５４，６４は、例えば、インナーメンバ７０の内側フランジ部７２の端縁に接離するように、両レール５０，６０のウェブ部５１，６１に突設されている。インナーメンバ７０が両レール５０，６０よりも短くされていることにより、両レール５０，６０とインナーメンバ７０とが完全に重なり合っている状態において、固定レール５０の先端部が可動レール６０の先端部の突起５４，６４を覆い、可動レール６０の基端部が固定レール５０の基端部の突起５４，６４を覆う。
【００５２】
また、固定レール５０の先端縁と可動レール６０の基端縁とには、ボールリテーナ８０の先端縁と後端縁とに接離する突起５５，６５が設けられている。さらに、インナーメンバ７０の基端縁と先端縁とにもボールリテーナ８０の後端縁と先端縁とに接離する突起７６が設けられている。可動レール６０が引き出されると、可動レール６０の基端縁に設けられた突起６５とインナーメンバ７０の先端縁に設けられた突起７６とがボールリテーナ８０を挟む状態となって、インナーメンバ７０も引き出される。
【００５３】
そして、インナーメンバ７０が引き出されると、インナーメンバ７０の基端縁に設けられた突起７６がボールリテーナ８０の基端縁に当接し、ボールリテーナ８０を先端側へ移動させる。このボールリテーナ８０の先端縁が固定レール５０の先端縁に設けられた突起５５に当接すると、インナーメンバ７０がこれ以上引き出されない。
【００５４】
また、両レール５０，６０には、図７に示すように、取付け穴５６，６６が基端側と中間部の２か所、または図示しないが先端側にさらに１か所の合計３か所に形成される。そして、両レール５０，６０に３か所の取付け穴５６，６６が形成されるときは、インナーメンバ７０には図７の仮想線に示すように連通穴７７が２か所に形成されている。すなわち、両レール５０，６０に２か所の取付け穴５６，６６が形成されるときは、インナーメンバ７０に連通穴７７が形成されなくてもよい。いずれにしても、固定レール５０と可動レール６０とは、図６に示すように、取付け穴５６，６６にボルト６を挿通することによって平行に向き合っている本体２の内壁２ａとケース１の側板１ａとに取り付けられる。
【００５５】
そして、ケース１が図２に示すように（本実施形態では、正確には図２と異なり、本体２の内壁２ａとケース１の側板１ａは平行に向き合っている。）、本体２内に収納されている状態においては、両レール５０，６０とインナーメンバ７０とは重なり合っている。そして、ケース１が本体２内から引き出されると、インナーメンバ７０が固定レール５０から突出し、可動レール６０がインナーメンバ７０から突出する。インナーメンバ７０と可動レール６０が完全に引き出されると、ケース１は、図５（本実施形態では、正確には図２と異なり、本体２の内壁２ａとケース１の側板１ａは平行に向き合っている。）に示す状態よりもさらに本体２から飛び出る状態となる。
【００５６】
このとき、固定レール５０の先端部とインナーメンバ７０の基端部に設けられた突起５５，７６が一方のボールリテーナ８０を挟み、インナーメンバ７０の先端部と可動レール６０の基端部に設けられた突起７６，６５が他方のボールリテーナ８０を挟むことにより、インナーメンバ７０と可動レール６０はこれ以上引き出されず、ケース１が本体２内から抜け落ちないようにされている。
【００５７】
逆に、ケース１を本体２内に収納するときは、前記と逆に、引き出された可動レール６０とインナーメンバ７０とが重なり合うように押し込まれる。そして、可動レール６０の先端部に設けられた突起６４がインナーメンバ７０の先端縁に当接し、インナーメンバ７０の基端縁が固定レール５０の基端部に設けられた突起５４に当接すると、これ以上、可動レール６０とインナーメンバ７０とが押し込まれず、ケース１が本体２内に完全に収納された状態となる。
【００５８】
なお、本発明は、前記の実施形態に限定することなく特許請求の範囲に記載した発明特定事項の範囲内において種々変更することができる。例えば、本発明に係るスライドレールは、冷蔵庫に取り付けるだけでなく、デスクや陳列棚などに取り付けることもできる。
【図面の簡単な説明】
【００５９】
【図１】本発明に係る第１の実施形態におけるスライドレールであって、収納されている状態を示す側面断面図である。
【図２】本発明に係る第１の実施形態におけるスライドレールを備えた冷蔵庫であって、ケースが収納されている状態を示す平面断面図である。
【図３】本発明に係る第１の実施形態におけるスライドレールであって、引き出されている状態を示す側面断面図である。
【図４】（ａ）は本発明に係る第１の実施形態におけるスライドレールが引き出された状態を分解した正面図、（ｂ）は同じく組み立てた正面図である。
【図５】本発明に係る第１の実施形態におけるスライドレールを備えた冷蔵庫であって、ケースが引き出されている状態を示す平面断面図である。
【図６】本発明に係る第２の実施形態におけるスライドレールを示す側面断面図である。
【図７】本発明に係る第２の実施形態におけるスライドレールが重なり合っているときの状態を分解した正面図である。
【図８】（ａ）は本発明に係る第２の実施形態におけるスライドレールが引き出されたときの状態を分解した正面図、（ｂ）は同じく組み立てた正面図である。
【図９】従来のスライドレールを備えた冷蔵庫であって、ケース１が引き出されている状態を示す平面断面図である。
【符号の説明】
【００６０】
１０…固定レール
１１…ウェブ部
１２…外側フランジ部
１３…外側突条
１４…（固定レールの）突起
１５…（固定レールの）突起
２０…可動レール
２１…ウェブ部
２２…外側フランジ部
２３…外側突条
２４…（可動レールの）突起
２５…（可動レールの）突起
３０…インナーメンバ
３２…内側フランジ部
３５…内側突条
３６…（インナーメンバの）突起
４０…ローラ
４１…溝
５０…固定レール
５１…ウェブ部
５２…外側フランジ部
５３…外側凹条
５４…（固定レールの）突起
５５…（固定レールの）突起
６０…可動レール
６１…ウェブ部
６２…外側フランジ部
６３…外側凹条
６４…（可動レールの）突起
６５…（可動レールの）突起
７０…インナーメンバ
７５…内側凹条
７６…（インナーメンバの）突起
８０…ボールリテーナ
８１…ボール
【図１】
2006192180.tif 000003
【図２】
2006192180.tif 000004
【図３】
2006192180.tif 000005
【図４】
2006192180.tif 000006
【図５】
2006192180.tif 000007
【図６】
2006192180.tif 000008
【図７】
2006192180.tif 000009
【図８】
2006192180.tif 000010
【図９】
2006192180.tif 000011